(57)【特許請求の範囲】
【請求項１】
自動車の窓フレームの内側に設けられる自動車用カーテン具であって、
上下両端に取付部を有するカーテン部材と、
細い棒状のカーテン支持棒と、
そのカーテン支持棒の中間を支承する中間支持具と、
前記カーテン支持棒の端部を支承する棒端支持具と、を有し、
前記中間支持具は、適宜な長さに形成された合成樹脂押出成形品であって、
前記カーテン支持棒が挿通可能な左右方向に貫通する貫通孔と、
前記カーテン支持棒の太さより細幅であって前記貫通孔から外部に抜ける割溝と、
その割溝と反対側の面に設けた貼着部と、を備え、
一方、前記棒端支持具は、適宜な長さに形成された前記中間支持具と同じ合成樹脂押出成形品であって、
前記割溝から前記貫通孔に向けて穿設された前記カーテン支持棒の端部を差込むための差込み孔と、
その差込み孔の挿入口と反対側の面に設けた貼着部と、を備えており、
前記中間支持具は、前記窓フレームの内側上辺部及び内側下辺部の中間位置に前記貼着部で取着され、
前記棒端支持具は、前記窓フレームの内側略コーナー部分に前記貼着部で取着され、
前記カーテン支持棒は、両端部が前記棒端支持具の差込み孔に差し込まれて支持されると共に中間部が前記中間支持具の前記割溝から前記貫通孔内に加圧挿入されて支持されるようになっており、
さらに前記カーテン部材は、前記棒端支持具と前記中間支持具の支持具間に露出するカーテン支持棒に前記取付部を取り付けて自動車の窓を覆い得るようにしたことを特徴とする自動車用カーテン具。
【発明の詳細な説明】
【技術分野】
【０００１】
本発明は、自動車の窓フレームの内側に装着する自動車用カーテン具に関する。
【背景技術】
【０００２】
自動車の窓フレームの内側上下辺部に断面略角形Ｃ字状のカーテンロッドを貼着するようにした自動車用カーテン具が、例えば特許文献１に記載されている。
【先行技術文献】
【特許文献】
【０００３】
【特許文献１】実用新案登録第３０５０７２７号公報
【発明の概要】
【発明が解決しようとする課題】
【０００４】
従来の自動車用カーテン具は、建物の開口部に装着するカーテンロッドに近似する構成であり、コストが高い問題があった。
【０００５】
本発明は上記に鑑みなされたもので、その目的は低コストに製造可能な自動車用カーテン具を提供することにある。
【課題を解決するための手段】
【０００６】
上記の目的を達成するため本発明は、
自動車の窓フレームの内側に設けられる自動車用カーテン具であって、
上下両端に取付部を有するカーテン部材と、
細い棒状のカーテン支持棒と、
そのカーテン支持棒の中間を支承する中間支持具と、
前記カーテン支持棒の端部を支承する棒端支持具と、を有し、
前記中間支持具は、適宜な長さに形成された合成樹脂押出成形品であって、
前記カーテン支持棒が挿通可能な左右方向に貫通する貫通孔と、
前記カーテン支持棒の太さより細幅であって前記貫通孔から外部に抜ける割溝と、
その割溝と反対側の面に設けた貼着部と、を備え、
一方、前記棒端支持具は、適宜な長さに形成された前記中間支持具と同じ合成樹脂押出成形品であって、
前記割溝から前記貫通孔に向けて穿設された前記カーテン支持棒の端部を差込むための差込み孔と、
その差込み孔の挿入口と反対側の面に設けた貼着部と、を備えており、
前記中間支持具は、前記窓フレームの内側上辺部及び内側下辺部の中間位置に前記貼着部で取着され、
前記棒端支持具は、前記窓フレームの内側略コーナー部分に前記貼着部で取着され、
前記カーテン支持棒は、両端部が前記棒端支持具の差込み孔に差し込まれて支持されると共に中間部が前記中間支持具の前記割溝から前記貫通孔内に加圧挿入されて支持されるようになっており、
さらに前記カーテン部材は、前記棒端支持具と前記中間支持具の支持具間に露出するカーテン支持棒に前記取付部を取り付けて自動車の窓を覆い得るようにした自動車用カーテン具を提供する。
【発明の効果】
【０００７】
本発明の自動車用カーテン具は、カーテン部材を支えるための主要部品たるカーテン支持棒が単純な細い棒で形成されているため、車種毎に異なる窓フレームのサイズに対してカーテン支持棒の長さを変更するだけで容易に対応できる。また、構造がシンプルであることより製造コストも低く抑えることができる。
【０００８】
また、カーテン支持棒を支える棒端支持具と中間支持具を同じ合成樹脂押出成形品で形成することにより、さらに製造コストを低く抑えることができる。
【図面の簡単な説明】
【０００９】
【図１】自動車用後部ドアの窓フレームを示す正面図である。
【図２】図１において中間支持具を断面にして示す要部拡大断面図である。
【図３】図１において中間支持具近傍を断面にして示す要部拡大断面図である。
【図４】中間支持具の斜視図である。
【図５】棒端支持具の斜視図である。
【図６】他の形態を示すもので、自動車用後部ドアの窓フレームを示す正面図である。
【発明を実施するための形態】
【００１０】
以下に本発明の実施の形態を図面を参照しつつ説明する。
【００１１】
本発明の自動車用カーテン具１は、図１に示したように、自動車の例えば後部ドア２の窓フレーム３の内側に取り付けられる。
この自動車用カーテン具１は、レース生地や遮光性を有する生地で形成された二枚のカーテン部材４，４と、適度な弾性を有する金属又は合成樹脂製で細長い例えば丸棒状である上下二本のカーテン支持棒５，５と、そのカーテン支持棒５の中間を支承する上下一個ずつの中間支持具６，６と、カーテン支持棒５の両端部を支承する上下各一対の棒端支持具７，７と、を有する。
【００１２】
前記カーテン部材４は、端部を折り返して筒状に縫合してなる取付部４ａを上下両端に形成してなる。また、カーテン部材４は、左右両横の縦辺に適宜面状ファスナ４ｂ，４ｂ…が取り付けられている。なお、図１において符合４ｃは、カーテン部材４の縁に設けた柔軟な結束帯であり、この結束帯４ｃによって閉じたカーテン部材４を束ねるようになっている。
【００１３】
前記中間支持具６は、図４に示したように、断面略ダルマ状の合成樹脂押出成形品を適宜な長さに切断して形成されるものであって、カーテン支持棒５が挿通可能な左右方向に貫通する貫通孔８と、カーテン支持棒５の太さより細幅であって貫通孔８から外部に抜ける割溝９と、その割溝９と反対側の図２〜図４において底面に設けた貼着部１０と、を備えている。
【００１４】
前記棒端支持具７は、図５に示したように、中間支持具６と同じ合成樹脂押出成形品を適宜な長さに切断して形成されるものであって、カーテン支持棒５の端部を差込み可能とするために前記割溝９から貫通孔８に向けて且つ貫通孔８より深く穿孔した差込み孔１１と、その差込み孔１１の挿入口と反対側の面に設けた貼着部１０と、を備えている。なお、実施形態の棒端支持具７は、中間支持具６と同じ合成樹脂押出成形品を使用したため、貼着部１０を差込み孔１１の挿入口と反対側の面に形成したが、棒端支持具７は、独立した部品として形成してもよく、その場合には、差込み孔１１の軸方向と平行な面に貼着部１０を形成して窓フレーム３の上辺部３ａ又は下辺部３ｂに貼着するようにしてもよい。
【００１５】
本発明の自動車用カーテン具１は以上のように構成されているため、図１に示したように、窓フレーム３の上辺部３ａと下辺部３ｂの両端に対応する略コーナー部分（正確には、図１に示したように窓フレーム３の前辺部３ｃと後辺部３ｄの上下端）に棒端支持具７の貼着部１０を貼着し、また、上辺部３ａと下辺部３ｂの中間位置に中間支持具６の貼着部１０を貼着する。
【００１６】
一方、二枚のカーテン部材４，４の上下にある取付部４ａ，４ａのそれぞれにカーテン支持棒５，５を通し、そのカーテン支持棒５を若干撓ませつつその両端を前記棒端支持具７，７の差込み孔１１，１１に挿入する。このとき棒端支持具７の割溝９にカーテン支持棒５の端部を押し入れてその割溝９沿いにカーテン支持棒５をスライドさせれば、比較的容易に差込み孔１１に導くことができる。
そして、棒端支持具７の差込み孔１１に差し込んだ状態でカーテン支持棒５から手を離すと、そのカーテン支持棒５が自己の弾性によって真っ直ぐに戻る。
【００１７】
次に、二枚のカーテン部材４，４同士の間を開けてカーテン支持棒５を部分的に露出させ、その露出部分を中間支持具６の割溝９に当ててそのまま貫通孔８にまで押し込む。これにより各カーテン支持棒５，５は、両端が棒端支持具７，７で固定され、中間が中間支持具６で固定されるから、その棒端支持具７，７と中間支持具６の間でカーテン部材４をスライドさせて開閉することができる。
【００１８】
なお、カーテン部材４の縁には前記ように面状ファスナ４ｂ，４ｂ…が設けられているため、その面状ファスナ４ｂを使ってカーテン部材４の縁を窓フレーム３の前辺部３ｃや後辺部３ｄに固定し、また、カーテン部材４，４同士の縁を連結して開かないようにすることができる。
【００１９】
以上本発明を実施の形態について説明したが、もちろん本発明は上記実施形態に限定されるものではない。例えば、実施形態では自動車用カーテン具を後部ドア２の窓フレーム３に装着する例を示したが、図示しないが前部ドアの窓フレームや、後面ガラスの窓フレームに装着してもよい。なお、後面ガラスのような広い窓フレームに装着する場合は、棒端支持具７，７の間隔が広いため、中間支持具６の設置個数やカーテン部材４の枚数を増やすようにしてもよい。
【００２０】
また、実施形態では支持具間ごとに一枚のカーテン部材４を設けるようにしたが、図６に示したようにカーテン部材４の上縁と下縁に中間支持具６に対応する切欠部１３を設けることによって中間支持具６を跨ぐ大きなカーテン部材４を採用することができる。斯かる実施形態のカーテン部材４は、広い面積を継ぎ目無くカバーすることができるため、後部ガラスへの利用に適する。なお、この実施形態のカーテン部材４は、中間支持具６のところに寄せる形で開くことができる。
【００２１】
また、実施形態では、カーテン部材４の上下端を筒状に縫合して取付部４ａを形成したが、カーテン部材４に別途リングを取り付けて取付部４ａを形成するようにしてもよい。
【符号の説明】
【００２２】
１  …自動車用カーテン具
３  …窓フレーム
３ａ  …上辺部
３ｂ  …下辺部
４  …カーテン部材
４ａ  …取付部
５  …カーテン支持棒
６  …中間支持具
７  …棒端支持具
８  …貫通孔
９  …割溝
１０  …貼着部
１１  …差込み孔
【図１】
0005897903.tif 000002
【図２】
0005897903.tif 000003
【図３】
0005897903.tif 000004
【図４】
0005897903.tif 000005
【図５】
0005897903.tif 000006
【図６】
0005897903.tif 000007